(57)【特許請求の範囲】
【請求項１】
方形外周囲を周壁部で囲うと共に後面を後壁部で覆って前面開口した箱型状となし、前面の開口縁を遊技盤の裏面に対向させて取り付け得るようにしたカバー本体を有し、該カバー本体の後壁部の後側に制御基板収納ボックスを設置し得る一方、該カバー本体の周壁部に後壁部から前方に向かって漸次拡大する勾配を設けて複数個のカバー本体同士が嵌合状態で段積みし得るようにした裏カバーであって、
前記カバー本体の周壁部の途中に境界部を形成して、該境界部より前方を開口幅がほぼ一定の前カバー部とし、境界部より後方を前記勾配が付された後カバー部とし、
前記境界部の形状を前記開口縁とほぼ等しくして段積みした他のカバー本体の開口縁が当接し得る受け止め縁となし、
カバー本体の前後方向に見て、後カバー部を前カバー部より長く形成すると共に後カバー部が段積みした他のカバー本体の後カバー部に密嵌し得るようになし、
前記後カバー部に放熱窓を貫設すると共に、
当該カバー本体の後壁部に、段積みした他のカバー本体の後壁部との間にできる空間内に収まる高さの、前記制御基板収納ボックスのねじ止め用のねじ受け部を形成したことを特徴とするパチンコ機の裏カバー。
【請求項２】
前記後カバー部の後壁部の後面にリード線把持片を突出形成し、該リード線把持片が、段積みした他のカバー本体の後壁部との間にできる空間に収まるようになっていることを特徴とする請求項１記載のパチンコ機の裏カバー。
【発明の詳細な説明】
【０００１】
【発明の属する技術分野】
この発明はパチンコ機において、遊技盤の裏面を覆った状態で設置される裏カバーに関する。
【０００２】
【従来の技術】
従来技術としては例えば特開平６−７５１５号公報がある。この公報には遊技盤の裏面側に設置されたリヤカバーの背面板に開口窓を設け、この開口窓に一枚の蓋部材を着脱自在に装着したパチンコ機が開示されている。
【０００３】
【発明が解決しようとする課題】
本発明は、裏カバーの保管や運搬や取扱いを簡便化することを課題とするものである。
【０００４】
【課題を解決するための手段】
請求項１の発明は、方形外周囲を周壁部で囲うと共に後面を後壁部で覆って前面開口した箱型状となし、前面の開口縁を遊技盤の裏面に対向させて取り付け得るようにしたカバー本体を有し、該カバー本体の後壁部の後側に制御基板収納ボックスを設置し得る一方、該カバー本体の周壁部に後壁部から前方に向かって漸次拡大する勾配を設けて複数個のカバー本体同士が嵌合状態で段積みし得るようにした裏カバーであって、
前記カバー本体の周壁部の途中に境界部を形成して、該境界部より前方を開口幅がほぼ一定の前カバー部とし、境界部より後方を前記勾配が付された後カバー部とし、
前記境界部の形状を前記開口縁とほぼ等しくして段積みした他のカバー本体の開口縁が当接し得る受け止め縁となし、
カバー本体の前後方向に見て、後カバー部を前カバー部より長く形成すると共に後カバー部が段積みした他のカバー本体の後カバー部に密嵌し得るようになし、
前記後カバー部に放熱窓を貫設すると共に、
当該カバー本体の後壁部に、段積みした他のカバー本体の後壁部との間にできる空間内に収まる高さの、前記制御基板収納ボックスのねじ止め用のねじ受け部を形成したことを特徴とする。
なお、本発明の裏カバーにおいて「前」、「後」等の関係は、パチンコ機に取り付けた状態を基準とするものであり、パチンコ機の遊技盤裏面に対向する側を「前」、その反対側を「後」とする。
【０００５】
請求項１の発明では、任意個数のカバー本体を段積みしたとき、重なり合って段積みされる両カバー本体のうちの一方のカバー本体が他方のカバー本体の開口縁内に挿通されて各カバー本体が一様な積み重ね形態で積み重ねられ、全体の積み重ね高さが低くなった状態で各カバー本体が安定かつコンパクトに積み重ねられる。
【０００６】
請求項２の発明は請求項１の発明において、前記後カバー部の後壁部の後面にリード線把持片を突出形成し、該リード線把持片が、段積みした他のカバー本体の後壁部との間にできる空間に収まるようになっていることを特徴とする。
【０００７】
【発明の実施の形態】
本発明の一実施例を図面にしたがって説明する。パチンコ機の本体枠１において、外枠２の前端に回動可能に結合された方形枠状の表枠３の前面にはガラス扉と前面板とが上下に隣接して回動可能に結合された窓枠４が装着されるとともに、表枠３の下端部には前面板の前面に取付けられた上球受け皿５の斜め下方に設置された球発射操作用の操作ハンドル６が装着されている。
【０００８】
表枠３の後面には遊技盤８が嵌め込まれた開口部を有するベース枠７がねじ止めされ、このベース枠７の下端には発射装置が組付けられている。
【０００９】
ベース枠７には、遊技盤８の裏面８ａの周縁部にほぼ沿って設置される開口部を有し、遊技盤８をベース枠７の開口縁に押止した状態で遊技盤８の後側に設置された裏セット枠１０が回動可動で取外し可能に結合されている。
【００１０】
裏セット枠１０には、その上端部の後側に設置された球タンク１１と、裏セット枠１０の一側部の後側に設置された賞品球排出ユニットの賞品球ケース１２と裏セット枠１０の下部の後側に設置された球誘導ケース１３とが組付けられている。
【００１１】
遊技盤８の裏面側に設置された裏カバー装置において、遊技盤８の裏面８ａには、その一方の側縁の若干内方に賞品球ケース１２に隣接して設置されて合成樹脂材によって形成された係止部材１６が取付けられている。
【００１２】
係止部材１６には、遊技盤８の裏面８ａにねじ止めされて遊技盤８の裏面８ａと並行に設置された基片１６ａと、この基片１６ａの前面に連接され、遊技盤８の裏面８ａに凹設された楕円孔状の凹部８ｃ内に嵌め込まれた位置決め用の突条１６ｂと、基片１６ａの後面に連接されてその後方へ水平状に延出され、遊技盤８の裏面８ａの後方に内外方向への弾性曲げ変形可能に設置された板状の可撓片１６ｃと、この可撓片１６ｃの後端部に連接されて内方へ突出され、内外方向への可撓片１６ｃの曲げ変形に伴って内外方向へ弾性変位する爪片１６ｄと、基片１６ａおよび可撓片１６ｃに連接された補強片１６ｅとが一体状に形成され、この爪片１６ｄの内側面には内方へ前下り状に傾斜した受圧面１６ｆが斜面状に形成されている。
【００１３】
遊技盤８の裏面８ａに組付けられた裏カバー装置の裏カバー１７は、遊技盤８の裏面８ａおよびこの裏面８ａに装着された誘導樋や役物等をその背後から覆った状態で設置されて遊技盤８の裏面側を開閉するカバー本体１８と、このカバー本体１８を回動可能に支持した状態で遊技盤８の裏面８ａにその他方の側縁に沿って取付けられ、合成樹脂材によって縦長状に形成されたホルダ１９とに分割されている。
【００１４】
裏カバー１７のカバー本体１８は、その内部を透視することができるように透明な合成樹脂材によってほぼ方形箱形状に形成されて、その前端にはほぼ方形状の開口部が遊技盤８の裏面８ａに対向して開口されている。
【００１５】
カバー本体１８は、ホルダ１９に上下１対のヒンジ２６を介して前後方向への回動可能に結合されている。
【００１６】
裏カバー１７のホルダ１９は、上下１対のねじ２９によって遊技盤８の裏面８ａに結合され、このホルダ１９には、遊技盤８の裏面８ａの後方に間隙を隔てて垂直状に設置された縦長状の基片１９ａと、この基片１９ａの上下端部に連接されて前方へ突出され、遊技盤８の裏面８ａに垂直に突き当てられた状態でそれぞれ設置された上下１対の段付き円筒状の脚片１９ｂとが形成され、両脚片１９ｂはこの脚片１９ｂに貫挿されたねじ２９によって遊技盤８の裏面８ａにそれぞれ締結されている。
【００１７】
ホルダ１９の基片１９ａの上下端部には、脚片１９ｂの外径より若干拡大された孔径を有し、そのホルダ１９の上に他のホルダ１９を積み重ねたときに上側のホルダ１９の脚片１９ｂの先端付近が同心状態で嵌め込まれるように丸孔状に形成された段積み孔２７がそれぞれ凹設されている。
【００１８】
ホルダ１９の両脚片１９ｂには、ねじ２９が挿通された通し孔１９ｄがそれぞれ貫設されるとともに、両脚片１９ｂの先端面には遊技盤８の裏面８ａに凹設された位置決め孔８ｂ内に挿入された突起１９ｅがそれぞれ凸設されている。
【００１９】
裏カバー１７のカバー本体１８には、両ヒンジ２６によってホルダ１９に結合されて遊技盤８の裏面８ａの後方に間隙を隔てて設置されたほぼ角筒状の周壁部２０と、この周壁部２０の後端縁に四周縁が連接されて上下方向に沿って設置された後壁部２１と、周壁部２０の反回動支点側端部にそれぞれ連接されて前方へ突出され、遊技盤８の裏面８ａに垂直に突き当てられた状態で設置された上下１対の脚部２２とが形成されている。
【００２０】
カバー本体１８の前端にはその開口部を取囲むほぼ方形状の開口縁２４が形成されている。
【００２１】
カバー本体１８の周壁部２０には、中央部付近が上方へ若干突出した状態で設置された横長状の上壁板２０ａと、中央部付近が下方へ若干突出された状態で設置された横長状の下壁板２０ｂと、周壁部２０の回動支点側の端部および反回動支点側の端部にそれぞれ設置された左右１対の縦長状の側壁板２０ｃ，２０ｄとが形成されている。
【００２２】
カバー本体１８の両脚部２２には、開口縁２４に連接されて開口縁２４の外方へ突出された突片２２ａと、この突片２２ａの前面に連接されて前方へ突出され、ホルダ１９の脚片１９ｂの形状と同様な形状を有する突き当て片２２ｂとがそれぞれ形成され、両脚部２２の各突片２２ａには、突き当て片２２ｂの外径より若干拡大された孔径を有し、その脚部２２の上に他のカバー本体１８の脚部２２を積み重ねたときに上側のカバー本体１８の脚部２２の突き当て片２２ｂの先端付近が同心状態で嵌め込まれるように丸孔状に形成された段積み孔２８がそれぞれ凹設されている。
【００２３】
両脚部２２の各突き当て片２２ｂの先端面には、遊技盤８の裏面８ａに凹設された位置決め孔８ｄ内に嵌め込まれて遊技盤８と脚部２２との相対位置を指定する突起２２ｃがそれぞれ凸設されている。
【００２４】
カバー本体１８の周壁部２０の反回動支点側の側壁板２０ｄの上下方向中央部には、係止部材１６の爪片１６ｄが挿入されるように切欠かれた切欠き部３７と、この切欠き部３７の前側に設置されて係止部材１６の爪片１６ｄが解離可能に掛止された掛止部３８とが形成されている。
【００２５】
後方へ回動して遊技盤８の裏面側を開放した状態のカバー本体１８を前方へ回動させると、係止部材１６の爪片１６ｄがその受圧面１６ｆに摺接して前方へ変位する開口縁２４およびこの開口縁２４と掛止部３８との間の外壁面によって外方へ押圧されて可撓片１６ｃが外方へ曲げ変形する。
【００２６】
カバー本体１８を両脚部２２が遊技盤８の裏面８ａに突き当たるまで回動させると、掛止部３８が係止部材１６の受圧面１６ｆの先端を越えた後で爪片１６ｄが切欠き部３７内に挿入されて可撓片１６ｃが内方へ復帰変形し、爪片１６ｄが掛止部３８に掛止されてカバー本体１８が前方の回動端で係止部材１６によって回動不能にロックされる。
【００２７】
また、カバー本体１８が係止部材１６によってロックされた状態で、係止部材１６の爪片１６ｄを指で外方へ押圧して爪片１６ｄが掛止部３８から解離されるまで可撓片１６ｃを外方へ曲げ変形させると、カバー本体１８のロック状態が解除されて後方へのカバー本体１８の回動が可能となる。
【００２８】
カバー本体１８は、任意個数のカバー本体１８を同じ向きに段積みしたときに、重なり合って段積みされる２個のカバー本体１８のうちの一方のカバー本体１８が他方のカバー本体１８の開口縁２４内に挿通されて各カバー本体１８が一様な積み重ね形態で積み重ねられるように形成されている。
【００２９】
カバー本体１８の前部には、上下開口幅および左右開口幅がほぼ一定となったほぼ角筒状の形状を有する前カバー部１８ａが、周壁部２０の各壁板２０ａ，２０ｂ，２０ｃ，２０ｄの前部によって形成されるとともに、カバー本体１８の前カバー部１８ａの後側には、上下開口幅および左右開口幅が共に前端から後端にわたって漸減する箱型状の形状を有する後カバー部１８ｂが、周壁部２０の各壁板２０ａ，２０ｂ，２０ｃ，２０ｄの中央部および後部と、後壁部２１とによって形成されている。
【００３０】
カバー本体１８の後カバー部１８ｂの奥行寸法は、前カバー部１８ａの奥行寸法より増大され、本例では後カバー部１８ｂの奥行寸法は前カバー部１８ａの奥行寸法の約１．６倍となっている。
【００３１】
カバー本体１８の前カバー部１８ａと後カバー部１８ｂとの境界部でカバー本体１８の外壁面には開口縁２４の形態とほぼ等しい方形状の形態を有する受け止め縁２５が周壁部２０の全周にわたって段差状に形成されている。
【００３２】
カバー本体１８の受け止め縁２５は、任意個数のカバー本体をその各開口縁２４を下側にして上下に積み重ねて段積みしたときに、重なり合う両カバー本体１８のうちの下側のカバー本体１８の後カバー部１８ｂ全体が開口縁２４を貫通して上側のカバー本体１８内に嵌め込まれ、下側のカバー本体１８の前カバー部１８ａが上側のカバー本体１８外に露出された状態で、上側のカバー本体１８の開口縁２４が下側のカバー本体１８の受け止め縁２５によって受け止められるように形成されている。
【００３３】
カバー本体１８の後カバー部１８ｂは、２個のカバー本体１８を積み重ねて上側のカバー本体１８の開口縁２４を下側のカバー本体１８の受け止め縁２５によって受け止めた状態で上下のカバー本体１８の後カバー部１８ｂが密嵌状に嵌め合わされるように後方に向って先細状に形成されている。
【００３４】
任意個数の裏カバー１７を各カバー本体１８の開口縁２４を下側にて段積みしたときに、上下に重なり合って段積みされた２個のホルダ１９のうちの上側のホルダ１９の両脚片１９ｂの先端付近が、下側のホルダ１９の両段積み孔２７内にそれぞれ同心状に嵌め込まれた状態で上側のホルダ１９が下側のホルダ１９上に積み重ねられ、上下に重なり合って段積みされた２個のカバー本体１８のうちの下側のカバー本体１８の後カバー部１８ｂが、上側のカバー本体１８内に嵌め込まれて下側のカバー本体１８の前カバー部１８ａが上側のカバー本体１８外に露出された状態で上側のカバー本体１８の開口縁２４が下側のカバー本体１８の受け止め縁２５によって受止められ、また、上側のカバー本体１８の両脚部２２の先端付近が、下側のカバー本体１８の両脚部２２の段積み孔２８内にそれぞれ同心状に嵌め込まれた状態で上側のカバー本体１８の両脚部２２が下側のカバー本体１８の両脚部２２上に積み重ねられる。
【００３５】
段積みされる１群のカバー本体１８は、最上段のカバー本体１８を除く各カバー本体１８の各後カバー部１８ｂの奥行寸法が、全体の積み重ね高さに加算されずに最上段のカバー本体１８を除く各カバー本体１８の各前カバー部１８ａがほぼ隙間なく段積みされてこの各前カバー部１８ａの各奥行寸法が加算された状態で積み重ねられ、１群のカバー本体１８全体の総積み重ね高さは、最上段のカバー本体１８の後カバー部１８ｂの奥行寸法と、各カバー本体１８の前カバー部１８ａの各奥行寸法と、最下段のカバー本体１８の脚部２２の高さとを合計した高さとなる。
【００３６】
例えば、前カバー部１８ａの奥行寸法を２４mmとし、後カバー部１８ｂの奥行寸法を３８mmとし、カバー本体１８の奥行寸法を６２mmとして１０個のカバー本体１８を段積みすると、１０個のカバー本体１８の前後カバー部１８ａ，１８ｂ積み重ね高さは、最上段のカバー本体１８の後カバー部１８ｂの奥行寸法３８mmと、１０個のカバー本体１８の前カバー部１８ａの奥行寸法の合計２４×１０＝２４０mmとを加算した高さ３８＋２４０＝２７８mmとなり、奥行寸法が６２mmとなった従来型の１０個のカバー本体を段積みしたときの総積み重ね高さ６２×１０＝６２０mmの約４５％となって１／２以下となる。
【００３７】
カバー本体１８の後カバー部１８ｂには、カバー本体１８内の昇温空気を後カバー部１８ｂの各所からカバー本体１８外へ放出する多数個の放熱窓２９が貫設されている。
【００３８】
カバー本体１８の後壁部２１の上端には、電気部品から引出された複数のリード線束が一括して挿通および把持されるようにＬ形状に曲折されたリード線把持片３０が突出形成されるとともに、後壁部２１の上端および下端には電気部品から引出された複数のリード線束が挿通されるリード線挿通口３１が横長状に開設されている。
【００３９】
カバー本体１８の後端面には、パチンコ機全体をコントロールする制御基板３２を内部に収納した状態で設置されてカバー本体１８の後壁部２１に重ね合わされた制御基板収納ボックス３３が組付けられている。
【００４０】
制御基板収納ボックス３３は、制御基板３２が嵌め込まれてねじ止めされた浅箱状の基板セット台３３ａと、制御基板３２の端縁部に取付けられた複数個のコネクタ３６を外部に露出した状態で基板セット台３３ａに取外し可能に結合されて基板セット台３３ａの後側に設置された基板カバー３３ｂとによって形成されている。
【００４１】
カバー本体１８の後壁部２１には、制御基板収納ボックス３３の基板セット台３３ａの前部を内部に嵌め込んで制御基板収納ボックス３３を前寄りに変移させ、後方への制御基板収納ボックス３３の突出量を縮小して制御基板収納ボックス３３をカバー本体１８に組付ける目的で前方へ凹陥されて制御基板収納ボックス３３の基板セット台３３ａの横幅と等しい横幅を有するボックス受け部３４が後壁部２１のほぼ全体にわたって形成され、このボックス受け部３４の中央部付近には方形孔状の窓部３５が開口されている。
【００４２】
カバー本体１８のボックス受け部３４の大きさは、横幅が一定で上下幅が異なる少くとも２種類の制御基板収納ボックス３３の基板セット台３３ａが嵌め込まれる大きさに設定される。
【００４３】
カバー本体１８の後壁部２１の前面には、制御基板収納ボックス３３の基板セット台３３ａを制御基板３２とともに後壁部２１に結合するねじがねじ込まれた適数個のねじ受け部４３が凸設されている。
【００４４】
カバー本体１８の後壁部の左右部には、制御基板収納ボックス３３の基板セット台３３ａの前面に凸設された左右２対の突起３９を嵌め込んで後壁部２１への基板セット台３３ａの取付け位置を指定する左右２対の位置決め孔４０が貫設されている。
【００４５】
カバー本体１８の後壁部２１の裏面上端には長方形状の突縁４１ａによって囲まれた基板取付け部４１が形成され、この基板取付け部４１には遊技盤８に装着された各種役物によって発信される複数の情報出力、例えば、普通電動役物入賞情報出力、回転体判定図柄変動情報出力、普通電動役物作動情報出力、特別装置作動情報出力等をそれぞれ中継する中継基板４２が取付けられている。
【００４６】
この中継基板４２には、この中継基板４２と制御基板３２とを接続するリード線が接続されたコネクタ４３と、この中継基板４２と本体枠の上端に取付けられた外部出力用の中継基板とを接続するリード線が接続された複数個のコネクタ４４とが取付けられている。
【００４７】
遊技盤８の裏面側に設置された裏カバー１７は、図２、図３に示すように、カバー本体１８の後端面１８ｄが球タンク１１の後端面１１ａおよび賞品球ケース１２の後端面１２ａの前方に配置されて外枠２の後端面２ａからカバー本体１８の後端面１８ｄまでの距離が縮小された状態で設置され、また、裏カバー１７のカバー本体１８に組付けられた制御基板収納ボックス３３は、その後端面３３ｄが球タンク１１の後端面１１ａおよび賞品球ケース１２の後端面１２ａからその後方へ若干突出した状態で設置される。
【００４８】
また、制御基板収納ボックス３３は、上球受け皿４の前端面および操作ハンドル６の前端面が表枠３の前面から突出された突出量と、制御基板収納ボックス３３の後端面３３ｄが外枠２の後端面２ａから突出された突出量がほぼ等しくなった状態で設置される。
【００４９】
上記実施例によれば、多数個の裏カバー１７を運搬したり、保管するに際し、１群のカバー本体１８をその総積み重ね高さを低くして各カバー本体１８の遊動を抑止した状態で安定に段積みすることができ、多数個の裏カバー１７を運搬したり、保管するために必要なスペースを縮小してその段積み状態を安定化することができる。
【００５０】
また、任意個数のカバー本体１８を段積みしたときに、各カバー本体１８はその各前カバー部１８ａがほぼ隙間なく段積みされた状態で積み重ねられ、各カバー本体１８の総積み重ね高さは、最上段のカバー本体１８の後カバー部１８ｂの奥行寸法と、各カバー本体１８の前カバー部１８ａの各奥行寸法とを加算した高さとなり、最上段のカバー本体１８を除く各カバー本体１８の後カバー部１８ｂの各奥行寸法は積み重ね高さに加算されないので、各カバー本体１８を総積み重ね高さを大幅に縮小した状態でコンパクトに積み重ねることができ、カバー本体１８を段積みして保管したり、運搬するときのカバー本体１８の保管数量や運搬数量を大幅に増大することができる。
【００５１】
さらに、本例では、裏カバー１７のホルダ１９およびカバー本体１８の脚部２１にそれぞれ段積み孔２７，２８を凹設してあるので、任意個数の裏カバー１７を段積みしたときに、各ホルダ１９の積み重ね高さおよび各脚部２１の積み重ね高さをカバー本体１８の積み重ね高さと同様に縮小して各裏カバー１７を積み重ねることができ、多数個の裏カバー１７を一括して保管したり、運搬するときに同じスペース内に占める裏カバーの保管数量や運搬数量を増大することができる。
【００５２】
【発明の効果】
請求項１の発明によれば、任意個数のカバー本体を段積みしたときに、各カバー本体はその各前カバー部が隙間なく段積みされた状態で積み重ねられ、各カバー本体の総積み重ね高さは、最上段のカバー本体の後カバー部の奥行寸法と、各カバー本体の前カバー部の各奥行寸法とを加算した高さとなり、最上段のカバー本体を除く各カバー本体の後カバー部の各奥行寸法は積み重ね高さに加算されないので、各カバー本体を総積み重ね高さを大幅に縮小した状態でコンパクトに積み重ねることができ、カバー本体を段積みして保管したり、運搬するときのカバー本体の保持数量や運搬数量を大幅に増大することができる。
【図面の簡単な説明】
【図１】  本発明の１実施例を示すパチンコ機の裏面図である。
【図２】  同じく、パチンコ機の平面図である。
【図３】  同じく、パチンコ機の側面図である。
【図４】  裏カバーおよび制御基板収納ボックスの裏面図である。
【図５】  裏カバーおよび制御基板収納ボックスの縦断面図である。
【図６】  図４のＸ１−Ｘ１線拡大断面図である。
【図７】  裏カバーの裏面図である。
【図８】  図７のＸ２−Ｘ２線拡大断面図である。
【図９】  図４のＸ３−Ｘ３線拡大断面図である。
【図１０】  図４のＸ４−Ｘ４線拡大断面図である。
【図１１】  係止部材の斜視図である。
【図１２】  図４のＸ５−Ｘ５線拡大断面図である。
【図１３】  複数個の裏カバーを段積みした状態を示す縦断面図である。
【符号の説明】
８  …遊技盤
１７  …裏カバー
１８  …カバー本体
１８ａ  …前カバー部
１８ｂ  …後カバー部
２１  …後壁部
２４  …開口縁
２５  …受け止め縁
２９  …放熱窓
３３  …制御基板収納ボックス
４３  …ねじ受け部
【図１】
0004062453.tif 000002
【図２】
0004062453.tif 000003
【図３】
0004062453.tif 000004
【図４】
0004062453.tif 000005
【図５】
0004062453.tif 000006
【図６】
0004062453.tif 000007
【図７】
0004062453.tif 000008
【図８】
0004062453.tif 000009
【図９】
0004062453.tif 000010
【図１０】
0004062453.tif 000011
【図１１】
0004062453.tif 000012
【図１２】
0004062453.tif 000013
【図１３】
0004062453.tif 000014